(57)【特許請求の範囲】
【請求項１】
光コネクタプラグ後端部に設けたカシメリングで光ファイバコードが取り付けられる光コネクタであって、
前記光ファイバコードの前記カシメリング近傍を被覆する可撓性材料によって形成された光コネクタブーツが、
前記カシメリングと前記光ファイバコードの間に挿入される係止部と、
前記光ファイバコードの前記カシメリング近傍のみを被覆するコード被覆部とを具備し、
前記コード被覆部と前記係止部との境界において、前記コード被覆部の断面外径が、前記係止部の断面外径より大きいことを特徴とする光コネクタ。
【請求項２】
光コネクタプラグ後端部に設けたカシメリングで光ファイバコードが取り付けられる光コネクタであって、
前記光ファイバコードの前記カシメリング近傍を被覆する可撓性材料によって形成された光コネクタブーツが、
前記カシメリングと前記光ファイバコードの間に挿入されるカシメリング内挿入部と、
前記カシメリングを被覆するカシメリング被覆部と、
前記光ファイバコードの前記カシメリング近傍のみを被覆するコード被覆部とを具備し、
前記コード被覆部と前記カシメリング被覆部との境界において、前記コード被覆部の断面外径が、前記カシメリング被覆部の断面外径より大きいことを特徴とする光コネクタ。
【請求項３】
前記光ファイバコードがホーリー光ファイバであることを特徴とする請求項１乃至２のいずれかに記載の光コネクタ。
【発明の詳細な説明】
【技術分野】
【０００１】
本発明は、光ファイバコードの心線を接続する光コネクタに関するものである。
【背景技術】
【０００２】
光ファイバの接続には、容易に着脱できる光コネクタが使用されることが多い。光ファイバは曲げ径が小さいと放射損失が増大する。光コネクタにおいては、光ファイバコードを光コネクタブーツに挿通し、光コネクタブーツを光コネクタプラグ後端部に装着する構造とすることで、光コネクタプラグ後端部における光ファイバの曲げによる損失を防止する。また、光コネクタブーツにより、曲げによる光ファイバの破断も防止する。
【０００３】
図６は従来の光コネクタブーツを示す断面図である。図６に示すように、光ファイバ心線（図示せず）を外被で被覆している光ファイバコード１１に光コネクタプラグ１２が接続され、前記光コネクタプラグ１２の後端部の外周にカシメリング１３が装着され、光ファイバコード１１の外被はカシメリング１３に取り付けられ、前記カシメリング１３と光ファイバコード１１の一部は光コネクタブーツ１４によって被覆されている。前記光コネクタブーツ１４は合成ゴム又はプラスチックにより形成されており、光ファイバコード１１に曲げ方向の荷重が加わった場合、光コネクタブーツ１４の光ファイバコード１１を被覆する部分の基部から下向きに急角度の曲げが生じ、そのため、光ファイバコード１１は光の伝送損失が増大する欠点があった。
【０００４】
また、従来の他の光コネクタブーツでは、光ファイバコードに接続した光コネクタプラグの後端部と光ファイバコードを被覆する光コネクタブーツにおいて、光コネクタプラグ後端部と光ファイバコードの接続部における被覆部と、これに連設する光ファイバコードの被覆部を有し、前記光ファイバコードの被覆部は、その基部から後端に向かって薄肉となるようテーパに形成し、前記被覆部に、その長さ方向と直交状にして、かつ外側へ対称に開口する二個で一対のスリットを複数対、一対おき交互に周方向へ９０°変位して長さ方向に所定のピッチで形成すると共に、当該スリットのピッチを、前記光ファイバコードの被覆部の基部側で最大に、これより後端側へ徐々に小さくなるように設定している。光コネクタブーツに形成されたスリットにより、光ファイバブーツの後端部だけが緩やかに曲がりが生じ、基部には曲げが生じないため、光コネクタプラグ後端部に急角度の曲がりが生じることがない。また、スリットは一対ごとに９０度変位して設けているため、二軸方向の曲げ荷重に対して光ファイバコードが急角度に曲がることを抑制できて光の伝送損失を抑えることができる（例えば、特許文献１参照。）。
【０００５】
尚、従来の光ファイバはコアとクラッドの材料による屈折率差のみで光を閉じ込める構造であり、光ファイバの曲げ半径を小さくすると曲げによる放射損失が増大するため、曲げ半径の限界値を３０ｍｍ程度として使用していた。ホーリー光ファイバは、コア周囲のクラッド部に空孔を存在させることでクラッドの実効的な屈折率を下げて、コアとクラッド間の屈折率差を大きくして、曲げによる放射損失の増加を抑える光ファイバである。ホーリー光ファイバは、曲げや捻りへの耐性が大きいため、従来の光ファイバでは成し得ない径で光ファイバを曲げることができる（例えば、特許文献２参照。）。
【０００６】
【特許文献１】特開平８−１２２５６７号公報
【特許文献２】特開２００５−１７６５０号公報
【発明の開示】
【発明が解決しようとする課題】
【０００７】
光コネクタブーツは光ファイバの曲げによる放射損失を抑制することを目的としているが、図６に示す光コネクタブーツでは、光ファイバコードに曲げ方向の荷重が加わった場合、光コネクタブーツの基部である光コネクタプラグ後端部側に曲がりが集中して急角度の曲げが生じることがあり、光ファイバコードの急な曲げに対する抑制機能がなかった。
【０００８】
また、特許文献１に示した光コネクタブーツでは、光ファイバコードの被覆部は、その基部から後端に向かって薄肉となるようテーパに形成し、前記被覆部に、その長さ方向と直交状にして、かつ外側へ対称に開口する二個で一対のスリットを複数対、一対おき交互に周方向へ９０°変位して長さ方向に所定のピッチで形成すると共に、当該スリットのピッチを、前記光ファイバコードの被覆部の基部側で最大に、これより後端側へ徐々に小さくなるように設定している。そのため、光ファイバコードの曲げに対する抑制機能はあるが、光コネクタブーツを短くすることができず、光コネクタのサイズを小型化するには適さなかった。
【０００９】
本発明は上記の事情に鑑みてなされたもので、光ファイバコードの急な曲げに対する抑制機能を有すると共に光コネクタブーツを短くして光コネクタの小型化を実現できる光コネクタを提供することを目的とする。
【課題を解決するための手段】
【００１０】
上記目的を達成するために本発明は、光コネクタプラグ後端部に設けたカシメリングで光ファイバコードが取り付けられる光コネクタであって、カシメリングに係止され、光ファイバコードのカシメリング近傍を被覆する光コネクタブーツと、前記光コネクタブーツの光ファイバコード被覆部外面に設けられた周回する溝とを有することを特徴とするものである。
【００１１】
また本発明は、光コネクタプラグ後端部に設けたカシメリングで光ファイバコードが取り付けられる光コネクタであって、光ファイバコードのカシメリング近傍を被覆する可撓性材料によって形成された光コネクタブーツと、前記光コネクタブーツの一部に設けられ、カシメリングと光ファイバコードの間に挿入して係止する係止部とを具備することを特徴とするものである。
【００１２】
また本発明は、光コネクタプラグ後端部に設けたカシメリングで光ファイバコードが取り付けられる光コネクタであって、光ファイバコードのカシメリング近傍を被覆する可撓性材料によって形成された光コネクタブーツと、前記光コネクタブーツの一部に設けられ、カシメリングと光ファイバコードの間に挿入すると共にカシメリングを被覆する係止部とを具備することを特徴とするものである。
【００１３】
また本発明は、光コネクタプラグ後端部に設けたカシメリングで光ファイバコードが取り付けられる光コネクタであって、一部がカシメリングと光ファイバコードの間に挿入されて係止され、光ファイバコードの曲げを規制する所定の曲率で開口して光ファイバコードが通線される光コネクタブーツを有することを特徴とするものである。
【００１４】
また本発明は、光コネクタプラグ後端部に設けたカシメリングで光ファイバコードが取り付けられる光コネクタであって、一部がカシメリングと光ファイバコードの間に挿入されて係止され、光ファイバコードの一方向のみの曲げを規制する所定の曲率の開口部を設け光ファイバコードが通線される光コネクタブーツを有することを特徴とするものである。
【００１５】
また本発明は、前記光コネクタにおいて、光ファイバコードとして、ホーリー光ファイバよりなる光ファイバコードを用いることを特徴とするものである。
【発明の効果】
【００１６】
本発明の光コネクタは、光ファイバコードの急な曲げに対する抑制機能を有すると共に光コネクタブーツを短くして光コネクタの小型化を実現できる。
【００１７】
光コネクタを接続するとき、光コネクタのサイズが光アウトレット等のサイズを決める要因となることがある。特に、ホーリー光ファイバを使うことで曲げ半径を小さくできるため、光コネクタの光コネクタブーツを短くすることで光コネクタを小型化でき、さらには光アウトレット等の光コネクタを使用する接続端末においても小型化が可能になる。
【００１８】
また、光コネクタブーツをカシメリング内に挿入して係止する場合には、カシメリングが光ファイバコードへ直接接触しないため、光ファイバコードが急峻に曲がっても、カシメリングが光ファイバコードを直接押圧せず損失増加と光ファイバの破断を防止する。
【００１９】
また、光コネクタブーツの端部をあらかじめ所定の曲率に開口した形状とする場合には、急峻な光ファイバ曲げによる破断や損失増加を確実に防止する。また、従来の光ファイバコードを完全に被覆する光コネクタブーツにくらべ、光コネクタブーツの長さを短くでき、光コネクタの小型化が可能となる。
【発明を実施するための最良の形態】
【００２０】
以下図面を参照して本発明の実施の形態を詳細に説明する。
図１は本発明の第１の実施形態を示す断面図である。図１は光コネクタの後端部を示し、光コネクタは光ファイバコードの光ファイバ心線接続に用いられる。図１に示すように、光ファイバ心線を外被で被覆している光ファイバコード２１の端部には光コネクタプラグ２２が接続され、光コネクタプラグ２２の後端部にはカシメリング２３が設けられる。前記カシメリング２３と光ファイバコード２１のカシメリング２３近傍は光コネクタブーツ２４によって被覆されており、カシメリング２３と光ファイバコード２１との接続部を保護する。前記光コネクタブーツ２４は、カシメリング２３を被覆した状態で光コネクタプラグ２２と係止する係止部と光ファイバコード２１のカシメリング２３近傍のみを被覆するコード被覆部から構成される。光ファイバコード２１の外被は、締付けリングを用いてカシメリング２３と固定する方法と、接着剤を用いてカシメリング２３と固定する方法がある。図１においては、接着剤を用いて、光ファイバコード２１の外被、光コネクタブーツ２４、カシメリング２３を固定した場合を示している。前記光コネクタブーツ２４のコード被覆部外面には周回する溝２５が１つ形成されている。
【００２１】
光ファイバコード２１に曲げ荷重が加えられた場合、光ファイバコード２１が曲がった方向の溝２５が挟まることで光ファイバコード２１の曲げ半径を規制する。溝２５は周回しているため、どの方向に曲げても曲げ半径の限界値は同じであり、光ファイバコード２１の曲げに対して方向性を持たない。光ファイバコード２１の光ファイバ心線がホーリー光ファイバである場合、光ファイバコード２１の曲げ半径を従来の光ファイバコードにくらべて小さくできる。光ファイバコード２１の曲げ半径を５ｍｍ程度まで可能な光コネクタブーツ２４とする場合、光コネクタブーツ２４の光コネクタ後端部との係止部を除くコード被覆部の長さを１０ｍｍ程度とし、コード被覆部の中間の外形を周回する溝２５を１つ設ければよい。図１においては、光コネクタブーツ２４のコード被覆部における溝２５の形状はＶ字形状で示しているが、溝の形状は矩形状の溝であっても効果は同じである。また、溝の幅を狭くすることで複数個の周回する溝を設けても良い。
【００２２】
図２は本発明の第２の実施形態を示し、（ａ）は光コネクタブーツ装着前の光コネクタの後端部を示す断面図であり、（ｂ）は光コネクタブーツ装着後の光コネクタの後端部を示す一部切欠断面図である。図２（ａ），（ｂ）に示すように、光ファイバコード３１の端部には光コネクタプラグ３２が接続され、光コネクタプラグ３２の後端部にはカシメリング３３が設けられる。光ファイバコード３１の外被はカシメリング３３で取り付けられる。光コネクタブーツ３４はカシメリング３３と係止する係止部３６と光ファイバコード３１のカシメリング３３近傍のみを被覆するコード被覆部３７から構成される。光コネクタブーツ３４のコード被覆部３７外面には周回する溝３５が１つ形成されている。
【００２３】
光コネクタブーツ３４の材質を可撓性樹脂とし、カシメリング３３へ挿入した光ファイバコード３１とカシメリング３３の隙間へ光コネクタブーツ３４の係止部３６を圧入して係止している。カシメリング３３の後端部の内径は、光ファイバコード３１を挿通するために光ファイバコード３１の外径より大きく、光コネクタブーツ３４の係止部３６の厚さと光ファイバコード３１の外径の和より小さな値とすることで、光コネクタブーツ３４の係止部３６をカシメリング３３に圧入して係止することができる。図２では外径が２ｍｍである光ファイバコード３１へ装着したＳＣコネクタの例について示している。カシメリング３３における光コネクタブーツ３４の係止側の穴内径を２．２ｍｍである場合、光コネクタブーツ３４の係止部３６の厚さを０．２ｍｍとする。光コネクタブーツ３４の係止部３６は０．１ｍｍ程度の厚さ分だけ圧縮されながら、カシメリング３３と光ファイバコード３１の隙間に挿入して係止する。接着剤を用いることなく光コネクタブーツ３４と光コネクタプラグ３２を係止できる。または、光コネクタブーツ３４の係止部３６の厚さを０．１ｍｍとして圧入せずにカシメリング３３内に挿入した後、接着剤を用いて光コネクタブーツ３４とカシメリング３３を係止してもよい。
【００２４】
ＳＣコネクタへ適用する場合、カシメリング３３内に挿入される光コネクタブーツ３４の係止部３６の長さは３ｍｍ程度とし、ホーリー光ファイバの曲げ半径を５ｍｍで規制するとき、光コネクタブーツ３４のコード被覆部３７の長さは１０ｍｍ程度でよい。
【００２５】
光コネクタブーツ３４をカシメリング３３内で係止することで、カシメリング３３は光ファイバコード３１と直接接触することがなく、光ファイバコード３１が急峻に曲がったとしてもカシメリング３３の後端部が光ファイバコード３１を直接押圧しない。その結果、カシメリングを被覆した状態で係止する光コネクタブーツにくらべて、損失を抑える効果が大きい。
【００２６】
図２に示した光コネクタブーツ３４の溝３５がなくても効果は同じであり、損失なく光ファイバコード３１を曲げることができる。
【００２７】
図３は本発明の第３の実施形態を示し、（ａ）は光コネクタブーツ装着前の光コネクタの後端部を示す断面図であり、（ｂ）は光コネクタブーツ装着後の光コネクタの後端部を示す一部切欠断面図である。図３中、図２と同一部分は同一符号を付してその説明を省略する。図３（ａ），（ｂ）に示すように、光コネクタブーツ４１は可撓性材料によって形成され、光ファイバコード３１のカシメリング３３近傍を被覆するコード被覆部４２と、前記光コネクタブーツ４１の一部に設けられ、カシメリング３３と光ファイバコード３１の間に挿入するカシメリング内挿入部４３及びカシメリング３３を被覆するカシメリング被覆部４４よりなる係止部４５とを具備して構成される。光コネクタブーツ４１のカシメリング内挿入部４３で、光ファイバコード３１が曲がったときにカシメリング３３が直接光ファイバコード３１を押圧することを防止する。光コネクタブーツ４１とカシメリング３３は、光コネクタブーツ４１のカシメリング被覆部４４とカシメリング３３を接着剤により固定することにより、光コネクタブーツ４１のカシメリング内挿入部４３がカシメリング３３内に挿入される長さは図２の光コネクタブーツの係止部にくらべて短くてよい。例えば、ＳＣコネクタの場合は、光コネクタブーツ４１のカシメリング被覆部４４の長さを４ｍｍ、光コネクタブーツ４１のカシメリング内挿入部４３の長さを１ｍｍ程度とする。
【００２８】
図４は本発明の第４の実施形態を示し、（ａ）は光コネクタブーツ装着前の光コネクタの後端部を示す断面図であり、（ｂ）は光コネクタブーツ装着後の光コネクタの後端部を示す一部切欠断面図である。図４中、図２と同一部分は同一符号を付してその説明を省略する。図４（ａ），（ｂ）に示すように、光ファイバコード３１が通線される光コネクタブーツ５１は可撓性材料によって形成され、光コネクタブーツ５１の一部がカシメリング３３と光ファイバコード３１の間に挿入されて係止される係止部５２と、光ファイバコード３１の曲げを規制する所定の曲率で後方にいくにしたがって徐々に拡大するように開口する開口部５３が一体にして構成される。図４では外径が２ｍｍである光ファイバコード３１へ装着したＳＣコネクタへ適用した例について示している。光コネクタブーツ５１は、光コネクタプラグ３２の後端部との係止部５２と光ファイバコード３１の曲げ半径を規定するためにテーパの形状をした開口部５３から構成される。光ファイバブーツ５１の材質を可撓性樹脂とし、カシメリング３３へ挿入した光ファイバコード３１とカシメリング３３の隙間へ光コネクタブーツ５１の係止部５２を挿入して係止している。図４においては、光コネクタブーツ５１の係止部５２の厚みがカシメリング３３と光ファイバコード３１の隙間と同じとなるようにして接着剤を用いてカシメリング３３と光コネクタブーツ５１を係止している。光コネクタブーツ５１の係止部５２の厚みを大きくしてカシメリング３３と光ファイバコード３１の隙間へ圧入することにより、カシメリング３３と光コネクタブーツ５１を係止することもできる。図４に示した光コネクタブーツ５１では、光ファイバコード３１をあらゆる方向に曲げることができるため方向性を持たない光コネクタブーツ５１である。光ファイバコード３１は光コネクタブーツ５１の開口部５３の曲率以上で曲げることができず、曲げによる放射損失を抑えることができる。光ファイバコード３１の光ファイバ心線としてホーリー光ファイバを使用して光ファイバコード３１の曲率の下限を５ｍｍとした場合、光コネクタブーツ５１の開口部５３の曲率を５ｍｍとすれば、光ファイバコード３１は５ｍｍ以下の曲率で曲げることはできない。
【００２９】
図５は本発明の第５の実施形態を示す断面図である。図５中、図２と同一部分は同一符号を付してその説明を省略する。図５に示すように、光ファイバコード３１が通線される光コネクタブーツ６１は可撓性材料によって形成され、光コネクタブーツ６１の一部がカシメリング３３と光ファイバコード３１の間に挿入されて係止される係止部６２と、光ファイバコード３１の一方向のみの曲げを規制する所定の曲率で後方にいくにしたがって徐々に拡大するように開口する開口部６３が一体にして構成される。図５は光ファイバコード３１が一方向にしか曲がらない実施形態を示す。光アウトレットの壁面内等の狭い空間では一方向だけにしか曲がらないように規制することが必要な場合がある。図５に示したように、光コネクタブーツ６１の開口部６３において光ファイバコード３１が一定の曲率である一方向に曲げた状態で光ファイバコード３１を維持できる光コネクタブーツ６１とすることもできる。
【００３０】
図１〜図５に示した光コネクタブーツは、ＳＣ光コネクタ、ＭＵ光コネクタ等の単心光コネクタや多心光コネクタにも適用可能である。例えば、ＳＣ光コネクタとＭＵ光コネクタではカシメリングの形状が違うが、図１〜図５に示した光コネクタブーツ構造をそれぞれの光コネクタのカシメリング形状へ適合したサイズへ変更して適用することができる。また、光コネクタへ適用する光ファイバコードの径に応じて、光コネクタブーツの光ファイバコードを通線する穴径を変えて適用する。
【００３１】
なお、本発明は、上記実施形態例そのままに限定されるものではなく、実施段階ではその要旨を逸脱しない範囲で構成要素を変形して具体化できる。また、上記実施形態例に開示されている複数の構成要素の適宜な組み合せにより種々の発明を形成できる。例えば、実施形態例に示される全構成要素から幾つかの構成要素を削除してもよい。更に、異なる実施形態例に亘る構成要素を適宜組み合せてもよい。
【図面の簡単な説明】
【００３２】
【図１】本発明の第１の実施形態を示す断面図である。
【図２】本発明の第２の実施形態を示す断面図である。
【図３】本発明の第３の実施形態を示す断面図である。
【図４】本発明の第４の実施形態を示す断面図である。
【図５】本発明の第５の実施形態を示す断面図である。
【図６】従来の光コネクタブーツを示す断面図である。
【符号の説明】
【００３３】
２１…光ファイバコード、２２…光コネクタプラグ、２３…カシメリング、２４…光コネクタブーツ、２５…溝。
【図１】
0004478089.tif 000002
【図２】
0004478089.tif 000003
【図３】
0004478089.tif 000004
【図４】
0004478089.tif 000005
【図５】
0004478089.tif 000006
【図６】
0004478089.tif 000007